(57)【特許請求の範囲】
【請求項１】
入力信号の輝度レベルを変換するルックアップテーブルと、
前記ルックアップテーブルに基いて画像を表示する表示部とを備える表示装置であって
、
前記ルックアップテーブルは、第１の輝度レベル以下の第１の範囲、第１の輝度レベル
より高く第２の輝度レベルより低い第２の範囲、第２の輝度レベル以上の第３の範囲を有
し、前記第１の範囲において、所定の第１のゲイン値と該ルックアップテーブルに基き、
前記第２の範囲において、前記第１のゲイン値と所定の第２のゲイン値と該ルックアップ
テーブルに基き、前記第３の範囲において、前記第２のゲイン値と該ルックアップテーブ
ルに基いて算出された第１の補正データを該ルックアップテーブルに設定し、
前記第１のゲイン値は、前記第１の輝度レベルの画像が前記ルックアップテーブルに事
前に設定された第２の補正データに基いて前記表示部に所定の色バランスで表示されると
きの前記第１の輝度レベルに与えられるゲインの値であり、
前記第２のゲイン値は、前記第２の輝度レベルの画像が前記第２の補正データに基いて
前記表示部に所定の色バランスで表示されるときの前記第２の輝度レベルに与えられるゲ
インの値であり、
前記ルックアップテーブルへの入力信号の輝度レベルをｘとし、
前記第２の補正データが設定されたルックアップテーブルで変換された輝度レベルをｙ
＝Ｆ（ｘ）とし、
前記第１の補正データが設定されたルックアップテーブルで変換された輝度レベルをｙ
＝Ｇ（ｘ）とし、
前記第１の輝度レベルをＩｎＬとし、
前記第２の輝度レベルをＩｎＨとし、
前記第１のゲイン値をＧａｉｎＬとし、
前記第２のゲイン値をＧａｉｎＨとすると、
前記第１の補正データは、
ＩｎＬ＜ｘ＜ＩｎＨの範囲において、
ｙ＝Ｇ（ｘ）＝Ｆ（（α×ＧａｉｎＨ＋（１−α）×ＧａｉｎＬ）×ｘ）
（但し、
α＝（ｘ−ＩｎＬ）／（ＩｎＨ−ＩｎＬ））
の計算式に基いて算出されることを特徴とする表示装置。
【請求項２】
前記第１の補正データは、
ＩｎＨ≦ｘ≦ＩｎＭＡＸの範囲において、ＧａｉｎＨ＞１の場合に、
ｙ＝Ｇ（ｘ）＝Ｆ（（β×１＋（１−β）×ＧａｉｎＨ）×ｘ）
（但し、
β＝（ｘ−ＩｎＨ）／（ＩｎＭＡＸ−ＩｎＨ）
ＩｎＭＡＸ：入力信号の輝度レベルｘの採り得る最大値）
の計算式に基いて算出されることを特徴とする請求項１に記載の表示装置。
【請求項３】
前記第１の補正データは、
ＩｎＭＩＮ≦ｘ≦ＩｎＬの範囲において、
ｙ＝Ｇ（ｘ）＝Ｆ（ＧａｉｎＬ×ｘ）
（但し、ＩｎＭＩＮ：入力信号の輝度レベルｘの採り得る最小値）
の計算式に基いて算出されることを特徴とする請求項１又は請求項２に記載の表示装置。
【請求項４】
前記第１の補正データは、
ＩｎＨ≦ｘ≦ＩｎＭＡＸの範囲において、ＧａｉｎＨ≦１の場合に、
ｙ＝Ｇ（ｘ）＝Ｆ（ＧａｉｎＨ×ｘ）
（但し、ＩｎＭＡＸ：入力信号の輝度レベルｘの採り得る最大値）
の計算式に基いて算出されることを特徴とする請求項１乃至請求項３のいずれか一項に記
載の表示装置。
【請求項５】
前記第１のゲイン値に代えて、前記第１の輝度レベルの画像が前記第２の補正データに
基いて前記表示部に所定の色バランスで表示されるときの前記第１の輝度レベルに与えら
れるオフセットの値である第１のオフセット値と、
前記第２のゲイン値に代えて、前記第２の輝度レベルの画像が前記第２の補正データに
基いて前記表示部に所定の色バランスで表示されるときの前記第２の輝度レベルに与えら
れるオフセットの値である第２のオフセット値とを有する請求項１乃至請求項４のいずれ
か一項に記載の表示装置。
【請求項６】
前記第１の補正データにおいて、入力信号の輝度レベルｘの増加につれて変換された輝
度レベルｙ＝Ｇ（ｘ）の減少する領域が存在する場合に、エラーである旨を報知するエラ
ー報知手段をさらに備えることを特徴とする請求項１乃至請求項５のいずれか一項に記載
の表示装置。
【発明の詳細な説明】
【技術分野】
【０００１】
本発明は、画像を表示する表示装置に関するものである。
【背景技術】
【０００２】
従来から、カラーディスプレイにカラー画像を表示する画像表示装置において、テレビジョン放送局から放送されるテレビジョン信号を受信して、テレビジョン信号に基く画像をカラーディスプレイの一種である液晶パネルに表示する、いわゆる液晶テレビと呼ばれる装置がある。このような液晶テレビでは、液晶パネルに表示する画像の色バランス（色合い）を補正（規定の色バランスとなるように補正）するための補正データのテーブルであるＬＵＴ（ルックアップテーブル）を備えており、テレビジョン信号に基く画像は、ＬＵＴの補正データに基いて色バランスが補正（規定の色バランスとなるように補正）されたうえで、液晶パネルに表示するようになっている。すなわち、このような液晶テレビでは、テレビジョン信号に基く画像の画像データ（テレビジョン信号から生成した画像データ）における赤、緑、青の各色の輝度レベルを示す入力値がＬＵＴの補正データに基いて補正されて、この補正後の入力値による画像が液晶パネルに表示されるようになっている。
【０００３】
ところで、ＬＵＴの補正データは、アベレージ品と呼ばれる１台の液晶テレビを用いて、その液晶テレビに表示される画像の色バランスに基いて、計算されて作成される。一方、個々の液晶テレビには個体差がある。従って、ある同じ画像データによる画像に対して、個々の液晶テレビにおいて同じＬＵＴの補正データによって同じように色バランスを補正したとしても、個々の液晶テレビの個体差のために、個々の液晶テレビにおいて表示される表示画像の色合い（色バランス）に差異を生じてしまう。つまり、ＬＵＴの補正データに基いて補正した後の表示画像の色バランスが、液晶テレビの個体差のために、規定の色バランスにならない場合がある。
【０００４】
そこで、このような液晶テレビでは、個々の液晶テレビにおける表示画像の色合いの差異（液晶テレビの個体差による表示画像の色合いの差異）をなくすために、すなわち、ＬＵＴの補正データに基いて補正した後の表示画像の色バランスが、液晶テレビの個体差のために規定の色バランスにならない場合に、表示画像の色バランスを規定の色バランスにするために、出荷前に、ホワイトバランス調整と呼ばれる調整を行っている。
【０００５】
従来の液晶テレビでは、与えられた画像データ（テレビジョン信号から生成した画像データ）における赤、緑、青の各色の輝度レベルを示す入力値にゲイン及びオフセットを与え、このゲイン及びオフセットを与えた後の入力値をＬＵＴの補正データに基いて補正して、この補正後の入力値による画像を液晶パネルに表示するように構成し、そして、この入力値に与えるゲインの値及びオフセットの値を調整することにより、ホワイトバランス調整を行う（すなわち、表示画像の色バランスを規定の色バランスにする）ようになっている。
【０００６】
つまり、従来の液晶テレビでは、ＬＵＴを別のものに取換えたり、ＬＵＴの補正データを書換えたりせずに、入力値にゲインを与えるためのゲイン調整部及び入力値にオフセットを与えるためのオフセット調整部を設けて、ゲイン調整部におけるゲインの値（入力値に与えるゲインの値）及びオフセット調整部におけるオフセットの値（入力値に与えるオフセットの値）を調整することにより、ホワイトバランス調整を行うようになっている。
【０００７】
このホワイトバランス調整は、所定の調整用画像（所定の輝度レベルの白色（無彩色）画像）を液晶テレビの液晶パネルに表示させて、その表示される調整用画像の色バランスが所定の色バランスとなるように、ゲイン調整部におけるゲインの値及びオフセット調整部におけるオフセットの値を調整することにより行われる。
【０００８】
すなわち、調整用画像の画像データを外部装置である調整用画像供給装置から液晶テレビに与える。これにより、液晶テレビに与えられた調整用画像の画像データにおける赤、緑、青の各色の輝度レベルを示す入力値である調整用入力値にゲイン及びオフセット（初期状態では、ゲインは１、オフセットは０）が与えられ、このゲイン及びオフセットが与えられた後の調整用入力値がＬＵＴの補正データに基いて補正されて、この補正後の調整用入力値による調整用画像が液晶パネルに表示される。そして、液晶パネルに表示されている調整用画像の色バランスを外部装置である測定装置により測定し、その測定値が規定範囲内となるように、すなわち、液晶パネルに表示される調整用画像の色バランスが所定の色バランスとなるように、ゲイン調整部におけるゲインの値及びオフセット調整部におけるオフセットの値を調整する。
【０００９】
より具体的には、調整用画像として、輝度レベルの異なる２つの調整用画像（輝度レベルの低い方の調整用画像をＬｏｗ側調整用画像と呼び、輝度レベルの高い方の調整用画像をＨｉｇｈ側調整用画像と呼ぶ）を液晶パネルに表示させ、Ｈｉｇｈ側調整用画像の色バランスが所定の色バランスとなるように、ゲイン調整部におけるゲインの値を調整すると共に、Ｌｏｗ側調整用画像の色バランスが所定の色バランスとなるように、オフセット調整部におけるオフセットの値を調整する。
【００１０】
すなわち、Ｈｉｇｈ側調整用画像を液晶パネルに表示させて、ゲイン調整部におけるゲインの値を調整する作業と、Ｌｏｗ側調整用画像を液晶パネルに表示させて、オフセット調整部におけるオフセットの値を調整する作業を繰り返して、Ｈｉｇｈ側調整用画像の色バランス及びＬｏｗ側調整用画像の色バランスが所定の色バランスとなるように、ゲイン調整部におけるゲインの値及びオフセット調整部におけるオフセットの値を調整する。ホワイトバランス調整は、このようにして行われる。
【００１１】
ホワイトバランス調整を行った後、テレビジョン信号に基く画像を表示するときには、この調整されたゲインの値及びオフセットの値によって、表示しようとする画像の画像データにおける赤、緑、青の各色の輝度レベルを示す入力値にゲイン及びオフセットが与えられ、このゲイン及びオフセットが与えられた後の入力値がＬＵＴの補正データに基いて補正されて、この補正後の入力値による画像が液晶パネルに表示される。ホワイトバランス調整により調整されたゲインの値及びオフセットの値は、全ての入力値範囲に一律に適用され、表示しようとする画像の画像データにおける赤、緑、青の各色の輝度レベルを示す入力値には、この調整されたゲインの値及びオフセットの値によって、一律に、ゲイン及びオフセットが与えられる。
【００１２】
一方、コントラストを測定し、表示に利用できうるダイナミックレンジを設定し、このダイナミックレンジに合わせてゲイン調整、及びオフセット調整を行い、その後に、ダイナミックレンジがフルレンジとなるようにルックアップテーブルのデータを再計算して書込むようにした画像表示装置が知られている（例えば特許文献１参照）。また、出力画像データの階調値を引数とし、引数で表される階調値のルックアップテーブルにおける使用の有無を示す論理値を配列要素とし、引数と、配列要素の和とに基いて、ルックアップテーブルを生成するようにした表示制御装置が知られている（例えば特許文献２参照）。また、３原色の入力映像信号を、第１のゲインデータに従って互いに同じゲインでレベル調整して、３原色の内部映像信号を生成し、３原色の内部映像信号から画素単位ごとに選択した最大値をアドレスとして非線形な特性を書き込んだルックアップテーブルによって、３原色の内部映像信号から画素単位ごとに選択した最大値に応じた第２のゲインデータを生成し、入力された非線形特性データに従ってルックアップテーブルを書換えるようにした映像信号処理装置が知られている（例えば特許文献３参照）。
【先行技術文献】
【特許文献】
【００１３】
【特許文献１】特許第３６９７９９７号公報
【特許文献２】特許第４５３６５８２号公報
【特許文献３】特開２００４−１８００９０号公報
【発明の概要】
【発明が解決しようとする課題】
【００１４】
ところで、上述した従来のホワイトバランス調整では、以下の問題がある。（１）表示しようとする画像の画像データにおける赤、緑、青の各色の輝度レベルを示す入力値に一律にオフセットが与えられてしまう。このため、表示しようとする画像の画像データにおける赤、緑、青の各色の輝度レベルを示す入力値が低いとき（特に、Ｌｏｗ側調整用入力値以下のとき）に、表示画像の色精度が悪くなる（表示画像の色バランスが規定の色バランスからずれる）。例えば、赤の輝度レベルを示す入力値に与えるオフセット値がプラスの値である場合、表示画像は、黒を含む暗部（表示画像の輝度が低い部分）が想定以上の赤みを帯びてしまう。（２）Ｈｉｇｈ側調整用画像を表示させてのゲインの調整と、Ｌｏｗ側調整用画像を表示させてのオフセットの調整が相互に影響を及ぼし合ってしまう。このため、Ｌｏｗ側調整用画像とＨｉｇｈ側調整用画像の両方の画像の色バランスが規格値に収まるまで（すなわち、Ｌｏｗ側調整用画像とＨｉｇｈ側調整用画像の両方の画像の色バランスが所定の色バランスとなるときのゲインの値及びオフセットの値を決定できるまで）、Ｌｏｗ側調整用画像の色バランスが所定の色バランスとなるようにオフセットを調整する作業と、Ｈｉｇｈ側調整用画像の色バランスが所定の色バランスとなるようにゲインを調整する作業を、何度も繰り返さなければならず、調整時間が長くなる。
【００１５】
このように、従来のホワイトバランス調整では、ホワイトバランス調整を行った後における表示画像の色精度が悪い。すなわち、ホワイトバランス調整の精度が悪い。また、ホワイトバランス調整に要する調整時間が長い。プラズマディスプレイ、ＣＲＴディスプレイ、有機ＥＬディスプレイ等のカラーディスプレイに画像を表示する画像表示装置においても、同様の問題がある。なお、上述した特許文献１乃至特許文献３に開示の内容を適用したとしても、上記の問題を解決することはできない。
【００１６】
本発明は、上記課題を解決するためになされたものであり、ホワイトバランス調整の精度を向上させることができる表示装置を提供することを目的とする。
【課題を解決するための手段】
【００１７】
上記目的を達成するために請求項１の発明は、入力信号の輝度レベルを変換するルックアップテーブルと、ルックアップテーブルに基いて画像を表示する表示部とを備える表示装置であって、ルックアップテーブルは、第１の輝度レベル以下の第１の範囲、第１の輝度レベルより高く第２の輝度レベルより低い第２の範囲、第２の輝度レベル以上の第３の範囲を有し、第１の範囲において、所定の第１のゲイン値と該ルックアップテーブルに基き、第２の範囲において、第１のゲイン値と所定の第２のゲイン値と該ルックアップテーブルに基き、第３の範囲において、第２のゲイン値と該ルックアップテーブルに基いて算出された第１の補正データを該ルックアップテーブルに設定し、第１のゲイン値は、第１の輝度レベルの画像がルックアップテーブルに事前に設定された第２の補正データに基いて表示部に所定の色バランスで表示されるときの第１の輝度レベルに与えられるゲインの値であり、第２のゲイン値は、第２の輝度レベルの画像が第２の補正データに基いて表示部に所定の色バランスで表示されるときの第２の輝度レベルに与えられるゲインの値であり、ルックアップテーブルへの入力信号の輝度レベルをｘとし、第２の補正データが設定されたルックアップテーブルで変換された輝度レベルをｙ＝Ｆ（ｘ）とし、第１の補正データが設定されたルックアップテーブルで変換された輝度レベルをｙ＝Ｇ（ｘ）とし、第１の輝度レベルをＩｎＬとし、第２の輝度レベルをＩｎＨとし、第１のゲイン値をＧａｉｎＬとし、第２のゲイン値をＧａｉｎＨとすると、第１の補正データは、
ＩｎＬ＜ｘ＜ＩｎＨの範囲において、
ｙ＝Ｇ（ｘ）＝Ｆ（（α×ＧａｉｎＨ＋（１−α）×ＧａｉｎＬ）×ｘ）
（但し、
α＝（ｘ−ＩｎＬ）／（ＩｎＨ−ＩｎＬ））
の計算式に基いて算出される表示装置である。
【００１８】
請求項２の発明は、請求項１に記載の表示装置において、第１の補正データは、
ＩｎＨ≦ｘ≦ＩｎＭＡＸの範囲において、ＧａｉｎＨ＞１の場合に、
ｙ＝Ｇ（ｘ）＝Ｆ（（β×１＋（１−β）×ＧａｉｎＨ）×ｘ）
（但し、
β＝（ｘ−ＩｎＨ）／（ＩｎＭＡＸ−ＩｎＨ）
ＩｎＭＡＸ：入力信号の輝度レベルｘの採り得る最大値）
の計算式に基いて算出されるものである。
【００１９】
請求項３の発明は、請求項１又は請求項２に記載の表示装置において、第１の補正データは、
ＩｎＭＩＮ≦ｘ≦ＩｎＬの範囲において、
ｙ＝Ｇ（ｘ）＝Ｆ（ＧａｉｎＬ×ｘ）
（但し、ＩｎＭＩＮ：入力信号の輝度レベルｘの採り得る最小値）
の計算式に基いて算出されるものである。
【００２０】
請求項４の発明は、請求項１乃至請求項３のいずれか一項に記載の表示装置において、第１の補正データは、
ＩｎＨ≦ｘ≦ＩｎＭＡＸの範囲において、ＧａｉｎＨ≦１の場合に、
ｙ＝Ｇ（ｘ）＝Ｆ（ＧａｉｎＨ×ｘ）
（但し、ＩｎＭＡＸ：入力信号の輝度レベルｘの採り得る最大値）
の計算式に基いて算出されるものである。
【００２１】
請求項５の発明は、請求項１乃至請求項４のいずれか一項に記載の表示装置において、第１のゲイン値に代えて、第１の輝度レベルの画像が第２の補正データに基いて表示部に所定の色バランスで表示されるときの第１の輝度レベルに与えられるオフセットの値である第１のオフセット値と、第２のゲイン値に代えて、第２の輝度レベルの画像が第２の補正データに基いて表示部に所定の色バランスで表示されるときの第２の輝度レベルに与えられるオフセットの値である第２のオフセット値とを有するものである。
【００２２】
請求項６の発明は、請求項１乃至請求項５のいずれか一項に記載の表示装置において、第１の補正データにおいて、入力信号の輝度レベルｘの増加につれて変換された輝度レベルｙ＝Ｇ（ｘ）の減少する領域が存在する場合に、エラーである旨を報知するエラー報知手段をさらに備えるものである。
【発明の効果】
【００２３】
請求項１の発明によれば、第１の補正データによって、第１の輝度レベルと第２の輝度レベルを基準とした輝度レベルの範囲毎に、第１のゲイン値と第２のゲイン値を使い分けて輝度レベルが変換されて、ホワイトバランス調整が行われる。これにより、ホワイトバランス調整（第１の補正データによる輝度レベルの変換）を行った後における表示画像の色精度を高精度にする（表示画像の色バランスを規定の色バランスにする）ように、適切にホワイトバランス調整することができ、ホワイトバランス調整の精度を向上させることができる。
【００２４】
しかも、ＩｎＬ＜ｘ＜ＩｎＨの範囲において、ホワイトバランス調整を行った後における表示部の出力特性（表示画像の色出力特性）として、優れた色度リニアリティ特性を実現することができる。これにより、より一層、ホワイトバランス調整を行った後における表示画像の色精度を高精度にすることができ、より一層、ホワイトバランス調整の精度を向上させることができる。
【００２５】
請求項２の発明によれば、請求項１の発明と同様に、ホワイトバランス調整の精度を向上させることができる。
【００２６】
しかも、ＩｎＨ≦ｘ≦ＩｎＭＡＸの範囲において、ＧａｉｎＨ＞１の場合に、ホワイトバランス調整を行った後における表示部の出力特性（表示画像の色出力特性）として、優れた色度リニアリティ特性を実現することができる。これにより、より一層、ホワイトバランス調整を行った後における表示画像の色精度を高精度にすることができ、より一層、ホワイトバランス調整の精度を向上させることができる。
【００２７】
請求項３の発明によれば、請求項１の発明と同様に、ホワイトバランス調整の精度を向上させることができる。
【００２８】
しかも、ＩｎＭＩＮ≦ｘ≦ＩｎＬの範囲において、より一層、ホワイトバランス調整を行った後における表示画像の色精度を高精度にすることができ、より一層、ホワイトバランス調整の精度を向上させることができる。
【００２９】
請求項４の発明によれば、ＩｎＨ≦ｘ≦ＩｎＭＡＸの範囲において、ＧａｉｎＨ≦１の場合に、より一層、ホワイトバランス調整を行った後における表示画像の色精度を高精度にすることができ、より一層、ホワイトバランス調整の精度を向上させることができる。
【００３０】
請求項５の発明によれば、請求項１乃至請求項４の発明と同様の効果を得ることができる。
【００３１】
請求項６の発明によれば、オペレータが、第１の補正データによって変換された輝度レベルｙ＝Ｇ（ｘ）の右肩下がりエラーが発生したことを知ることができる。これにより、オペレータが、ｙ＝Ｇ（ｘ）の右肩下がりエラーが発生した表示部に対して、第１の補正データを別の変換規則による補正データに変更させ、ｙ＝Ｇ（ｘ）の右肩下がりエラーが発生しないようにすることができ、又は、ｙ＝Ｇ（ｘ）の右肩下がりエラーが発生した表示部を不良品として分別することができる。
【図面の簡単な説明】
【００３２】
【図１】本発明の一実施形態に係る液晶テレビの概略構成を示す電気的ブロック構成図。
【図２】同液晶テレビの画像処理部の構成を示す電気的ブロック構成図。
【図３】同液晶テレビのＬＵＴの補正データを示す図。
【発明を実施するための形態】
【００３３】
以下、本発明を具体化した実施形態による画像表示装置について図面を参照して説明する。図１は、本実施形態による画像表示装置である液晶テレビの構成を示す。液晶テレビ１は、テレビジョン放送局から放送されるテレビジョン信号を受信して、テレビジョン信号に基く画像を表示すると共に、テレビジョン信号に基く音声を出力する装置である。また、この液晶テレビ１は、例えばパソコンやＢＤプレイヤなどの外部装置を接続して使用できるようになっており、外部装置から出力される画像データによる画像を表示すると共に、外部装置から出力される音声データによる音声を出力することができるようになっている。
【００３４】
この液晶テレビ１は、表示画像の色バランス（色合い）を補正（規定の色バランスとなるように補正）するための補正データのテーブルであるＬＵＴを備えており、テレビジョン信号に基く画像を、ＬＵＴの補正データに基いて色バランスを補正したうえで表示するようになっている。
【００３５】
また、この液晶テレビ１は、液晶テレビ１の個体差（液晶パネルの個体差）による表示画像の色バランスの差異をなくすための調整（すなわち、ＬＵＴの補正データに基いて補正した後の表示画像の色バランスが、液晶テレビ１の個体差のために規定の色バランスにならない場合に、表示画像の色バランスを規定の色バランスにするための調整）であるホワイトバランス調整を行う機能を有している。本発明では、ホワイトバランス調整は、ＬＵＴの補正データを調整する（再計算して書換える）ことにより行われる。
【００３６】
ホワイトバランス調整は、外部装置である調整用画像供給装置６０、測定装置７０、及び調整用リモコン８０を用いて行われる。調整用画像供給装置６０は、ホワイトバランス調整を行う（ＬＵＴの補正データを再計算する）ために用いる調整用画像の画像データを出力する。測定装置７０は、測定対象の画像の色バランスを測定して、その色バランス測定値を出力する。調整用リモコン８０は、ホワイトバランス調整を行うときの各種動作を指示するために調整作業者（以下、オペレータという）に操作され、その操作内容を示す操作信号を無線信号によって送信する。
【００３７】
液晶テレビ１は、チューナ２と、外部入力部３と、調整用画像入力部４と、測定値入力部５と、画像処理部６と、カラーディスプレイである液晶パネル７と、音声処理部８と、スピーカ９と、リモコン１０と、リモコン受信部１１と、液晶テレビ１の動作を制御するマイクロコンピュータ１２等を備える。
【００３８】
チューナ２は、マイクロコンピュータ１２による制御のもと、テレビジョン放送局から放送されるテレビジョン信号を受信し、そのテレビジョン信号から、テレビジョン信号に基く画像の画像データ、及びテレビジョン信号に基く音声の音声データを生成する。外部入力部３は、例えばパソコンやＢＤプレイヤなどの外部装置が接続され、外部装置から出力される画像データ及び音声データが入力される。
【００３９】
調整用画像入力部４は、ホワイトバランス調整を行うときに利用され、調整用画像供給装置６０が接続されて、調整用画像供給装置６０から出力される調整用画像の画像データが入力される。測定値入力部５は、ホワイトバランス調整を行うときに利用され、測定装置７０が接続されて、測定装置７０から出力される色バランス測定値が入力される。
【００４０】
画像処理部６は、マイクロコンピュータ１２による制御のもと、チューナ２により生成された画像データ、外部入力部３から入力された画像データ、調整用画像入力部４から入力された調整用画像の画像データ、マイクロコンピュータ１２から与えられるＯＳＤ表示用の画像データ（各種画像をＯＳＤ表示するための画像データ）に対して各種の画像データ処理を行い、その処理後の画像データを液晶パネル７に供給する。液晶パネル７は、画像処理部６から供給された画像データによるカラー画像を表示する。
【００４１】
音声処理部８は、マイクロコンピュータ１２による制御のもと、チューナ２により生成された音声データ、外部入力部３から入力された音声データに対して各種の音声データ処理を行い、その処理後の音声データをスピーカ９に供給する。スピーカ９は、音声処理部８から供給された音声データによる音声を出力する。
【００４２】
リモコン１０は、液晶テレビ１の各種動作を指示するためにユーザに操作され、その操作内容を示す操作信号を赤外線によって送信する。リモコン受信部１１は、リモコン１０から送信される操作信号を受信する。また、リモコン受信部１１は、調整用リモコン８０から送信される操作信号を受信する。マイクロコンピュータ１２は、液晶テレビ１の各種動作を制御する。
【００４３】
図２は、画像処理部６の電気的ブロック構成を示す。画像処理部６は、ゲイン調整部３１Ｒ、３１Ｇ、３１Ｂと、入力値補正部３２Ｒ、３２Ｇ、３２Ｂとを備える。また、画像処理部６は、不図示の各種データ処理部を備えている。画像処理部６には、チューナ２により生成された画像データ、外部入力部３から入力された画像データ、調整用画像入力部４から入力された調整用画像の画像データ、マイクロコンピュータ１２から与えられるＯＳＤ表示用の画像データが入力される。画像処理部６に入力された画像データは、マイクロコンピュータ１２による制御のもと、不図示の各種データ処理部により各種画像データ処理が施され、その画像データにおける赤、緑、青の各色の輝度レベルを示す入力値ＩｎＲ、ＩｎＧ、ＩｎＢがゲイン調整部３１Ｒ、３１Ｇ、３１Ｂに入力される。
【００４４】
ゲイン調整部３１Ｒ、３１Ｇ、３１Ｂは、画像データにおける赤、緑、青の各色の輝度レベルを示す入力値ＩｎＲ、ＩｎＧ、ＩｎＢにゲインを与えるものである。ゲイン調整部３１Ｒは、乗算回路３３Ｒと、ゲイン設定部３４Ｒとを有し、ゲイン調整部３１Ｇは、乗算回路３３Ｇと、ゲイン設定部３４Ｇとを有し、ゲイン調整部３１Ｂは、乗算回路３３Ｂと、ゲイン設定部３４Ｂとを有する。
【００４５】
ゲイン調整部３１Ｒは、乗算回路３３Ｒにより、赤色の輝度レベルを示す入力値ＩｎＲとゲイン設定部３４Ｒに設定されているゲインの値とを乗算することによって、赤色の輝度レベルを示す入力値ＩｎＲにゲインを与える。ゲイン調整部３１Ｇは、乗算回路３３Ｇにより、緑色の輝度レベルを示す入力値ＩｎＧとゲイン設定部３４Ｇに設定されているゲインの値とを乗算することによって、緑色の輝度レベルを示す入力値ＩｎＧにゲインを与える。ゲイン調整部３１Ｂは、乗算回路３３Ｂにより、青色の輝度レベルを示す入力値ＩｎＢとゲイン設定部３４Ｂに設定されているゲインの値とを乗算することによって、青色の輝度レベルを示す入力値ＩｎＢにゲインを与える。
【００４６】
ゲイン調整部３１Ｒ、３１Ｇ、３１Ｂによりゲインが与えられた後の入力値（ゲイン調整部３１Ｒ、３１Ｇ、３１Ｂの出力値）ＩｎＲ’、ＩｎＧ’、ＩｎＢ’は、入力値補正部３２Ｒ、３２Ｇ、３２Ｂに入力される。ＩｎＲ’、ＩｎＧ’、ＩｎＢ’は、ゲイン設定部３４Ｒ、３４Ｇ、３４Ｂにより与えられる（ゲイン設定部３４Ｒ、３４Ｇ、３４Ｂに設定されている）ゲインの値をＧａｉｎＲ、ＧａｉｎＧ、ＧａｉｎＢとすると、ＩｎＲ’＝ＩｎＲ×ＧａｉｎＲ、ＩｎＧ’＝ＩｎＧ×ＧａｉｎＧ、ＩｎＢ’＝ＩｎＢ×ＧａｉｎＢである。
【００４７】
入力値補正部３２Ｒ、３２Ｇ、３２Ｂは、液晶パネル７に表示する画像の色バランスを補正するためのものである。入力値補正部３２Ｒは、ＬＵＴ３５Ｒを有し、入力値補正部３２Ｇは、ＬＵＴ３５Ｇを有し、入力値補正部３２Ｂは、ＬＵＴ３５Ｂを有する。
【００４８】
ＬＵＴ３５Ｒ、３５Ｇ、３５Ｂは、液晶パネル７に表示する画像の色バランスを補正するための補正データのテーブルである。ＬＵＴ３５Ｒ、３５Ｇ、３５Ｂの補正データは、赤、緑、青の各色の補正前の輝度レベルを示す補正前値と、該補正前値に対して補正して出力すべき輝度レベルを示す補正後値との関係を示すデータである。すなわち、ＬＵＴ３５Ｒの補正データは、赤色の補正前の輝度レベルを示す補正前値ｘＲと、補正前値ｘＲに対して補正して出力すべき赤色の輝度レベルを示す補正後値ｙＲとの関係を示すデータである。同様に、ＬＵＴ３５Ｇの補正データは、緑色の補正前の輝度レベルを示す補正前値ｘＧと、補正前値ｘＧに対して補正して出力すべき緑色の輝度レベルを示す補正後値ｙＧとの関係を示すデータであり、ＬＵＴ３５Ｂの補正データは、青色の補正前の輝度レベルを示す補正前値ｘＢと、補正前値ｘＢに対して補正して出力すべき青色の輝度レベルを示す補正後値ｙＢとの関係を示すデータである。
【００４９】
入力値補正部３２Ｒ、３２Ｇ、３２Ｂは、入力値ＩｎＲ’、ＩｎＧ’、ＩｎＢ’をＬＵＴ３５Ｒ、３５Ｇ、３５Ｂの補正データに基いて補正する。すなわち、入力値補正部３２Ｒは、ＬＵＴ３５Ｒを参照し、入力値ＩｎＲ’に等しい補正前値ｘＲに対応する補正後値ｙＲを出力値ＯｕｔＲとして出力する。同様に、入力値補正部３２Ｇは、ＬＵＴ３５Ｇを参照し、入力値ＩｎＧ’に等しい補正前値ｘＧに対応する補正後値ｙＧを出力値ＯｕｔＧとして出力し、入力値補正部３２Ｂは、ＬＵＴ３５Ｂを参照し、入力値ＩｎＢ’に等しい補正前値ｘＢに対応する補正後値ｙＢを出力値ＯｕｔＢとして出力する。
【００５０】
入力値補正部３２Ｒ、３２Ｇ、３２Ｂから出力された出力値（入力値補正部３２Ｒ、３２Ｇ、３２Ｂにより補正された後の入力値）ＯｕｔＲ、ＯｕｔＧ、ＯｕｔＢ、は、液晶パネル７に供給され、これら出力値ＯｕｔＲ、ＯｕｔＧ、ＯｕｔＢによる画像が液晶パネル７に表示される。
【００５１】
このような画像処理部６の構成により、画像を液晶パネル７に表示するとき、その画像の画像データにおける赤、緑、青の各色の輝度レベルを示す入力値ＩｎＲ、ＩｎＧ、ＩｎＢにゲイン調整部３１Ｒ、３１Ｇ、３１Ｂによりゲインが与えられ、このゲインが与えられた後の入力値ＩｎＲ’、ＩｎＧ’、ＩｎＢ’（ＩｎＲ’＝ＩｎＲ×ＧａｉｎＲ、ＩｎＧ’＝ＩｎＧ×ＧａｉｎＧ、ＩｎＢ’＝ＩｎＢ×ＧａｉｎＢ）がＬＵＴ３５Ｒ、３５Ｇ、３５Ｂの補正データに基いて補正されて、この補正後の入力値ＯｕｔＲ、ＯｕｔＧ、ＯｕｔＢによる画像が液晶パネル７に表示される。
【００５２】
ゲイン設定部３４Ｒ、３４Ｇ、３４Ｂにおけるゲインの値ＧａｉｎＲ、ＧａｉｎＧ、ＧａｉｎＢは、マイクロコンピュータ１２による制御のもと、設定される。すなわち、ゲイン調整部３１Ｒが入力値ＩｎＲに与えるゲインの値ＧａｉｎＲ、ゲイン調整部３１Ｇが入力値ＩｎＧに与えるゲインの値ＧａｉｎＧ、ゲイン調整部３１Ｂが入力値ＩｎＢに与えるゲインの値ＧａｉｎＢは、マイクロコンピュータ１２による制御のもと、調整される。
【００５３】
マイクロコンピュータ１２は、調整用画像を表示させるとき以外は、ゲイン設定部３４Ｒ、３４Ｇ、３４Ｂにおけるゲインの値ＧａｉｎＲ、ＧａｉｎＧ、ＧａｉｎＢを１に設定する。すなわち、調整用画像以外の画像（チューナ２により生成された画像データに基く画像、外部入力部３から入力された画像データに基く画像、マイクロコンピュータ１２から与えられるＯＳＤ表示の画像データに基く画像）を表示するときは、ゲインが与えられる前の入力値ＩｎＲ、ＩｎＧ、ＩｎＢとゲインが与えられた後の入力値ＩｎＲ’、ＩｎＧ’、ＩｎＢ’は等しい。
【００５４】
次に、ホワイトバランス調整について説明する。本発明では、ホワイトバランス調整は、ＬＵＴ３５Ｒ、３５Ｇ、３５Ｂの補正データを調整する（再計算して書換える）ことによって行われる。
【００５５】
ＬＵＴ３５Ｒ、３５Ｇ、３５Ｂの補正データの調整は、調整用画像の画像データの入力値と、調整用画像の色バランスが所定の色バランスとなるように、調整用画像の画像データの入力値に与えられるゲインの値とに基いて、ＬＵＴ３５Ｒ、３５Ｇ、３５Ｂの補正データを再計算して書換えることにより行われる。
【００５６】
すなわち、ＬＵＴ３５Ｒ、３５Ｇ、３５Ｂの補正データの調整は、（１）所定の調整用画像（所定の輝度レベルの白色（無彩色）画像）を液晶パネル７に表示させ、（２）液晶パネル７に表示される調整用画像の色バランスが所定の色バランスとなるように、ゲイン調整部３１Ｒ、３１Ｇ、３１Ｂにおけるゲインの値を調整し、（３）そして、調整用画像の画像データの入力値と、調整用画像の色バランスが所定の色バランスとなるときのゲイン調整部３１Ｒ、３１Ｇ、３１Ｂにおけるゲインの値とに基いて、ＬＵＴ３５Ｒ、３５Ｇ、３５Ｂの補正データを再計算し、（４）ＬＵＴ３５Ｒ、３５Ｇ、３５Ｂの補正データを、その再計算した補正データに書換えることにより行われる。
【００５７】
本実施形態では、調整用画像として、輝度レベルの異なる２つの調整用画像を用いて、ＬＵＴ３５Ｒ、３５Ｇ、３５Ｂの補正データを再計算する。すなわち、２つの異なる調整用画像のうち、輝度レベルの低い方の調整用画像をＬｏｗ側調整用画像とし、輝度レベルの高い方の調整用画像をＨｉｇｈ側調整用画像とする。そして、Ｌｏｗ側調整用画像の画像データの赤、緑、青の各色の輝度レベルを示す入力値ＩｎＲ、ＩｎＧ、ＩｎＢをＬｏｗ側調整用入力値ＩｎＬＲ、ＩｎＬＧ、ＩｎＬＢ（赤のＬｏｗ側調整用入力値ＩｎＬＲ、緑のＬｏｗ側調整用入力値ＩｎＬＧ、青のＬｏｗ側調整用入力値ＩｎＬＢ）とし、液晶パネル７に表示されるＬｏｗ側調整用画像の色バランスが所定の色バランスとなるようにＬｏｗ側調整用入力値ＩｎＬＲ、ＩｎＬＧ、ＩｎＬＢに与えられるゲインの値ＧａｉｎＲ、ＧａｉｎＧ、ＧａｉｎＢをＬｏｗ側調整ゲイン値ＧａｉｎＬＲ、ＧａｉｎＬＧ、ＧａｉｎＬＢ（赤のＬｏｗ側調整ゲイン値ＧａｉｎＬＲ、緑のＬｏｗ側調整ゲイン値ＧａｉｎＬＧ、青のＬｏｗ側調整ゲイン値ＧａｉｎＬＢ）とする。また、Ｈｉｇｈ側調整用画像の画像データの赤、緑、青の各色の輝度レベルを示す入力値ＩｎＲ、ＩｎＧ、ＩｎＢをＨｉｇｈ側調整用入力値ＩｎＨＲ、ＩｎＨＧ、ＩｎＨＢ（赤のＨｉｇｈ側調整用入力値ＩｎＨＲ、緑のＨｉｇｈ側調整用入力値ＩｎＨＧ、青のＨｉｇｈ側調整用入力値ＩｎＨＢ）とし、液晶パネル７に表示されるＨｉｇｈ側調整用画像の色バランスが所定の色バランスとなるようにＨｉｇｈ側調整用入力値ＩｎＨＲ、ＩｎＨＧ、ＩｎＨＢに与えられるゲインの値ＧａｉｎＲ、ＧａｉｎＧ、ＧａｉｎＢをＨｉｇｈ側調整ゲイン値ＧａｉｎＨＲ、ＧａｉｎＨＧ、ＧａｉｎＨＢ（赤のＨｉｇｈ側調整ゲイン値ＧａｉｎＨＲ、緑のＨｉｇｈ側調整ゲイン値ＧａｉｎＨＧ、青のＨｉｇｈ側調整ゲイン値ＧａｉｎＨＢ）とする。
【００５８】
本実施形態では、これらＬｏｗ側調整用入力値ＩｎＬＲ、ＩｎＬＧ、ＩｎＬＢ、Ｌｏｗ側調整ゲイン値ＧａｉｎＬＲ、ＧａｉｎＬＧ、ＧａｉｎＬＢ、Ｈｉｇｈ側調整用入力値ＩｎＨＲ、ＩｎＨＧ、ＩｎＨＢ、Ｈｉｇｈ側調整ゲイン値ＧａｉｎＨＲ、ＧａｉｎＨＧ、ＧａｉｎＨＢに基いて、ＬＵＴ３５Ｒ、３５Ｇ、３５Ｂの補正データを再計算する。
【００５９】
ＬＵＴ３５Ｒ、３５Ｇ、３５Ｂの補正データの再計算は、マイクロコンピュータ１２によって行われる。マイクロコンピュータ１２は、以下の計算式によって、ＬＵＴ３５Ｒ、３５Ｇ、３５Ｂの補正データを再計算する。
【００６０】
すなわち、マイクロコンピュータ１２は、ＬＵＴ３５Ｒ、３５Ｇ、３５Ｂの補正前値をｘＲ、ｘＧ、ｘＢ、ＬＵＴ３５Ｒ、３５Ｇ、３５Ｂの補正後値の再計算前の値をｙＲ＝ＦＲ（ｘＲ）、ｙＧ＝ＦＧ（ｘＧ）、ｙＢ＝ＦＢ（ｘＢ）、ＬＵＴ３５Ｒ、３５Ｇ、３５Ｂの補正後値の再計算後の値をｙＲ＝ＧＲ（ｘＲ）、ｙＧ＝ＧＧ（ｘＧ）、ｙＢ＝ＧＢ（ｘＢ）とすると、
補正後値ｙＲ＝ＧＲ（ｘＲ）を、
ＩｎＭＩＮＲ≦ｘＲ≦ＩｎＬＲの範囲において、
ｙＲ＝ＧＲ（ｘＲ）＝ＦＲ（ＧａｉｎＬＲ×ｘＲ）
ＩｎＬＲ＜ｘＲ＜ＩｎＨＲの範囲において、
ｙＲ＝ＧＲ（ｘＲ）＝ＦＲ（(αＲ×ＧａｉｎＨＲ＋（１−αＲ）×ＧａｉｎＬＲ）×ｘＲ)
ＩｎＨＲ≦ｘＲ≦ＩｎＭＡＸＲの範囲において、ＧａｉｎＨＲ≦１の場合に、
ｙＲ＝ＧＲ（ｘＲ）＝ＦＲ（ＧａｉｎＨＲ×ｘＲ）
ＩｎＨＲ≦ｘＲ≦ＩｎＭＡＸＲの範囲において、ＧａｉｎＨＲ＞１の場合に、
ｙＲ＝ＧＲ（ｘＲ）＝ＦＲ（（βＲ×１＋（１−βＲ）×ＧａｉｎＨＲ）×ｘＲ）
（但し、
αＲ＝（ｘＲ−ＩｎＬＲ）／（ＩｎＨＲ−ＩｎＬＲ）
βＲ＝（ｘＲ−ＩｎＨＲ）／（ＩｎＭＡＸＲ−ＩｎＨＲ）
ＩｎＬＲ：Ｌｏｗ側調整用画像（２つの異なる調整用画像のうち、輝度レベ
ルの低い方の調整用画像）の画像データの赤の輝度レベルを示す入
力値（赤のＬｏｗ側調整用入力値）
ＩｎＨＲ：Ｈｉｇｈ側調整用画像（２つの異なる調整用画像のうち、輝度レ
ベルの高い方の調整用画像）の画像データの赤の輝度レベルを示す
入力値（赤のＨｉｇｈ側調整用入力値）
ＩｎＭＩＮＲ：補正前値ｘＲの採り得る最小値
ＩｎＭＡＸＲ：補正前値ｘＲの採り得る最大値
ＧａｉｎＬＲ：Ｌｏｗ側調整用画像の色バランスが所定の色バランスとなる
ように、Ｌｏｗ側調整用画像の画像データの赤の輝度レベルを
示す入力値ＩｎＬＲに与えられるゲインの値（赤のＬｏｗ側調
整ゲイン値）
ＧａｉｎＨＲ：Ｈｉｇｈ側調整用画像の色バランスが所定の色バランスとな
るように、Ｈｉｇｈ側調整用画像の画像データの赤の輝度レベ
ルを示す入力値ＩｎＨＲに与えられるゲインの値（赤のＨｉｇ
ｈ側調整ゲイン値））
と再計算する。
【００６１】
また、マイクロコンピュータ１２は、補正後値ｙＧ＝ＧＧ（ｘＧ）、ｙＢ＝ＧＢ（ｘＢ）についても同様に再計算する。マイクロコンピュータ１２によって、ＬＵＴ再計算手段、及びＬＵＴ書換手段が構成されている。
【００６２】
ＬＵＴ３５Ｒ、３５Ｇ、３５Ｂの補正データの調整は、以下のようにして行われる。まず、オペレータが、調整用画像入力部４に調整用画像供給装置６０を接続すると共に、測定値入力部５に測定装置７０を接続する。
【００６３】
続いて、オペレータが、調整用画像供給装置６０からＬｏｗ側調整用画像の画像データを出力するように操作する。これにより、Ｌｏｗ側調整用画像の画像データが調整用画像入力部４から入力されて、そのＬｏｗ側調整用画像の画像データにおける赤、緑、青の各色の輝度レベルを示す入力値ＩｎＲ、ＩｎＧ、ＩｎＢであるＬｏｗ側調整用入力値ＩｎＬＲ、ＩｎＬＧ、ＩｎＬＢにゲイン調整部３１Ｒ、３１Ｇ、３１Ｂによりゲインが与えられ、このゲインが与えられた後のＬｏｗ側調整用入力値ＩｎＬＲ’、ＩｎＬＧ’、ＩｎＬＢ’がＬＵＴ３５Ｒ、３５Ｇ、３５Ｂの補正データに基いて補正されて、この補正後のＬｏｗ側調整用入力値によるＬｏｗ側調整用画像が液晶パネル７に表示される。Ｌｏｗ側調整用入力値ＩｎＬＲ、ＩｎＬＧ、ＩｎＬＢは、例えば、補正前値ｘＲ、ｘＧ、ｘＢの採り得る最大値ＩｎＭＡＸＲの採り得る最大値の３０％の値とされる。
【００６４】
また、オペレータが、液晶パネル７に表示されたＬｏｗ側調整用画像の色バランスを測定装置７０により測定する。これにより、測定装置７０により測定されたＬｏｗ側調整用画像の色バランス測定値が測定値入力部５に入力される。
【００６５】
ここで、オペレータが、調整用リモコン８０を操作して、Ｌｏｗ側調整ゲイン値ＧａｉｎＬＲ、ＧａｉｎＬＧ、ＧａｉｎＬＢを決定する旨の指示をする。これにより、マイクロコンピュータ１２は、測定値入力部５から入力される色バランス測定値に基いて、その色バランス測定値が規定範囲内となるように、すなわち、液晶パネル７に表示されるＬｏｗ側調整用画像の色バランスが所定の色バランスとなるように、ゲイン調整部３１Ｒ、３１Ｇ、３１Ｂにおけるゲインの値（Ｌｏｗ側調整用入力値ＩｎＬＲ、ＩｎＬＧ、ＩｎＬＢに与えるゲインの値）ＧａｉｎＲ、ＧａｉｎＧ、ＧａｉｎＢを調整する。ゲイン調整部３１Ｒ、３１Ｇ、３１Ｂにおけるゲインの値ＧａｉｎＲ、ＧａｉｎＧ、ＧａｉｎＢが調整されることにより、液晶パネル７に表示されるＬｏｗ側調整用画像の色バランスが変化し、液晶パネル７に表示されるＬｏｗ側調整用画像の色バランスに応じて、測定値入力部５に入力される色バランス測定値も変化する。マイクロコンピュータ１２は、色バランス測定値が規定範囲内となるときのゲインの値ＧａｉｎＲ、ＧａｉｎＧ、ＧａｉｎＢ、すなわち、液晶パネル７に表示されるＬｏｗ側調整用画像の色バランスが所定の色バランスとなるときのゲインの値ＧａｉｎＲ、ＧａｉｎＧ、ＧａｉｎＢをＬｏｗ側調整ゲイン値ＧａｉｎＬＲ、ＧａｉｎＬＧ、ＧａｉｎＬＢとして決定する。
【００６６】
続いて、オペレータが、調整用画像供給装置６０からＨｉｇｈ側調整用画像の画像データを出力するように操作する。これにより、Ｈｉｇｈ側調整用画像の画像データが調整用画像入力部４から入力されて、そのＨｉｇｈ側調整用画像の画像データにおける赤、緑、青の各色の輝度レベルを示す入力値ＩｎＲ、ＩｎＧ、ＩｎＢであるＨｉｇｈ側調整用入力値ＩｎＨＲ、ＩｎＨＧ、ＩｎＨＢにゲイン調整部３１Ｒ、３１Ｇ、３１Ｂによりゲインが与えられ、このゲインが与えられた後のＨｉｇｈ側調整用入力値ＩｎＨＲ’、ＩｎＨＧ’、ＩｎＨＢ’がＬＵＴ３５Ｒ、３５Ｇ、３５Ｂの補正データに基いて補正されて、この補正後のＨｉｇｈ側調整用入力値によるＨｉｇｈ側調整用画像が液晶パネル７に表示される。Ｈｉｇｈ側調整用入力値ＩｎＨＲ、ＩｎＨＧ、ＩｎＨＢは、例えば、補正前値ｘＲ、ｘＧ、ｘＢの採り得る最大値ＩｎＭＡＸＲの取り得る最大値の７０％の値とされる。
【００６７】
また、オペレータが、液晶パネル７に表示されたＨｉｇｈ側調整用画像の色バランスを測定装置７０により測定する。これにより、測定装置７０により測定されたＨｉｇｈ側調整用画像の色バランス測定値が測定値入力部５に入力される。
【００６８】
ここで、オペレータが、調整用リモコン８０を操作して、Ｈｉｇｈ側調整ゲイン値ＧａｉｎＨＲ、ＧａｉｎＨＧ、ＧａｉｎＨＢを決定する旨の指示をする。これにより、マイクロコンピュータ１２は、色バランス測定値が規定範囲内となるときのゲインの値ＧａｉｎＲ、ＧａｉｎＧ、ＧａｉｎＢ、すなわち、液晶パネル７に表示されるＨｉｇｈ側調整用画像の色バランスが所定の色バランスとなるときのゲインの値ＧａｉｎＲ、ＧａｉｎＧ、ＧａｉｎＢをＨｉｇｈ側調整ゲイン値ＧａｉｎＨＲ、ＧａｉｎＨＧ、ＧａｉｎＨＢとして決定する。
【００６９】
そして、オペレータが、調整用リモコン８０を操作して、ＬＵＴ３５Ｒ、３５Ｇ、３５Ｂの補正データを調整する旨の指示をする。これにより、マイクロコンピュータ１２は、ＬＵＴ３５Ｒ、３５Ｇ、３５Ｂの補正データを、Ｌｏｗ側調整用入力値ＩｎＬＲ、ＩｎＬＧ、ＩｎＬＢ、Ｌｏｗ側調整ゲイン値ＧａｉｎＬＲ、ＧａｉｎＬＧ、ＧａｉｎＬＢ、Ｈｉｇｈ側調整用入力値ＩｎＨＲ、ＩｎＨＧ、ＩｎＨＢ、Ｈｉｇｈ側調整ゲイン値ＧａｉｎＨＲ、ＧａｉｎＨＧ、ＧａｉｎＨＢに基いて、上述の計算式によって再計算する。
【００７０】
ここで、マイクロコンピュータ１２は、再計算した後の補正データを検査し、補正前値ｘＲ、ｘＧ、ｘＢの増加につれて補正後値ｙＲ＝ＧＲ（ｘＲ）、ｙＧ＝ＧＧ（ｘＧ）、ｙＢ＝ＧＢ（ｘＢ）の減少する（補正後値ｙＲ＝ＧＲ（ｘＲ）、ｙＧ＝ＧＧ（ｘＧ）、ｙＢ＝ＧＢ（ｘＢ）が右肩下がりとなる）領域が存在する場合には、エラーである旨を報知する。このとき、マイクロコンピュータ１２は、エラーである旨を示す画像を液晶パネル７に表示することにより、エラーである旨を報知する。すなわち、マイクロコンピュータ１２は、エラーである旨を示す画像をＯＳＤ表示するための画像データを画像処理部６に与えることにより、エラーである旨を示す画像を液晶パネル７にＯＳＤ表示し、この画像によって、エラーである旨を報知する。マイクロコンピュータ１２によって、エラー報知手段が構成されている。
【００７１】
マイクロコンピュータ１２は、再計算した後の補正データを検査した結果、補正前値ｘＲ、ｘＧ、ｘＢの増加につれて補正後値ｙＲ＝ＧＲ（ｘＲ）、ｙＧ＝ＧＧ（ｘＧ）、ｙＢ＝ＧＢ（ｘＢ）の減少する領域が存在しない場合には、ＬＵＴ３５Ｒ、３５Ｇ、３５Ｂの補正データを、再計算した補正データに書換える。マイクロコンピュータ１２によって、ＬＵＴ書換手段が構成されている。
【００７２】
その後、マイクロコンピュータ１２は、ゲイン設定部３４Ｒ、３４Ｇ、３４Ｂにおけるゲインの値を１にする。ＬＵＴ３５Ｒ、３５Ｇ、３５Ｂの補正データの調整（ホワイトバランス調整）は、このようにして行われる。
【００７３】
図３は、ＬＵＴ３５Ｒの補正データの例を示す。横軸は、赤色の補正前の輝度レベルを示す補正前値ｘＲであり、縦軸は、補正前値ｘＲに対して補正して出力すべき赤色の輝度レベルを示す補正後値ｙＲである。ｙＲ＝ＦＲ（ｘＲ）は、再計算前の補正後値であり、ｙＲ＝ＧＲ（ｘＲ）は、再計算後の補正後値である。補正前値ｘＲの採り得る最小値ＩｎＭＩＮＲを０、補正前値ｘＲの採り得る最大値ＩｎＭＡＸＲを１００として表示している。また、補正後値ｙＲの採り得る最小値を０、補正後値ｙＲの採り得る最大値を１００として表示している。
【００７４】
図示のｙＲ＝ＧＲ（ｘＲ）は、図示のｙＲ＝ＦＲ（ｘＲ）を再計算して得たものであり、Ｌｏｗ側調整用入力値ＩｎＬＲを補正前値ｘＲの採り得る最大値ＩｎＭＡＸＲの３０％の値、Ｈｉｇｈ側調整用入力値ＩｎＨＲを補正前値ｘＲの採り得る最大値ＩｎＭＡＸＲの７０％の値としてホワイトバランス調整を行い、Ｌｏｗ側調整ゲイン値ＧａｉｎＬＲ＝０．６１、Ｈｉｇｈ側調整ゲイン値ＧａｉｎＨＲ＝１．３９であった場合の再計算結果である。
【００７５】
本発明によれば、表示しようとする画像の画像データにおける赤、緑、青の各色の輝度レベルを示す入力値毎に、それらの各入力値を補正するように、ＬＵＴ３５Ｒ、３５Ｇ、３５Ｂの補正データを書換えることができる。これにより、表示しようとする画像の画像データにおける赤、緑、青の各色の輝度レベルを示す入力値の全ての範囲において、入力値毎に、それらの各入力値をＬＵＴ３５Ｒ、３５Ｇ、３５Ｂの補正データに基いて補正することができる。従って、ホワイトバランス調整を行った後における表示画像の色精度を高精度にする（表示画像の色バランスを規定の色バランスにする）ことができ、ホワイトバランス調整の精度を向上させることができる。また、ホワイトバランス調整は、ＬＵＴ３５Ｒ、３５Ｇ、３５Ｂの補正データの再計算及び書換えによって行われ、ＬＵＴ３５Ｒ、３５Ｇ、３５Ｂの補正データの再計算及び書換えは、短い時間で行うことができるため、ホワイトバランス調整に要する調整時間を短縮することができる。また、ハードウェア構成は従来のままで、ソフトウェアを変更するだけでよいため、ホワイトバランス調整の精度の向上、及びホワイトバランス調整に要する調整時間の短縮をコストアップなしに実現できる。
【００７６】
しかも、補正後値ｙｉ＝Ｇｉ（ｘｉ）をＩｎＬｉ＜ｘｉ＜ＩｎＨｉの範囲においてｙｉ＝Ｇｉ（ｘｉ）＝Ｆｉ（（αｉ×ＧａｉｎＨｉ＋（１−αｉ）×ＧａｉｎＬｉ）×ｘｉ）と再計算する（ｉ＝Ｒ、Ｇ、Ｂ）ことにより、ＩｎＬｉ＜ｘｉ＜ＩｎＨｉの範囲において、ホワイトバランス調整を行った後におけるカラーディスプレイの出力特性（表示画像の色出力特性）として、優れた色度リニアリティ特性を実現することができる。これにより、より一層、ホワイトバランス調整を行った後における表示画像の色精度を高精度にすることができ、より一層、ホワイトバランス調整の精度を向上させることができる。
【００７７】
また、ＧａｉｎＨｉ＞１の場合に、補正後値ｙｉ＝Ｇｉ（ｘｉ）をＩｎＨｉ≦ｘｉ≦ＩｎＭＡＸｉの範囲においてｙｉ＝Ｇｉ（ｘｉ）＝Ｆｉ（（βｉ×１＋（１−βｉ）×ＧａｉｎＨｉ）×ｘｉ）と再計算することにより、ＧａｉｎＨｉ＞１の場合に、ＩｎＨｉ≦ｘｉ≦ＩｎＭＡＸｉの範囲において、ホワイトバランス調整を行った後におけるカラーディスプレイの出力特性（表示画像の色出力特性）として、優れた色度リニアリティ特性を実現することができる。これにより、より一層、ホワイトバランス調整を行った後における表示画像の色精度を高精度にすることができ、より一層、ホワイトバランス調整の精度を向上させることができる。
【００７８】
また、補正後値ｙｉ＝Ｇｉ（ｘｉ）をＩｎＭＩＮｉ≦ｘｉ≦ＩｎＬｉの範囲においてｙｉ＝Ｇｉ（ｘｉ）＝Ｆｉ（ＧａｉｎＬｉ×ｘｉ）と再計算することにより、より一層、ホワイトバランス調整を行った後における表示画像の色精度を高精度にすることができ、より一層、ホワイトバランス調整の精度を向上させることができる。
【００７９】
また、ＧａｉｎＨｉ≦１の場合に、補正後値ｙｉ＝Ｇｉ（ｘｉ）をＩｎＨｉ≦ｘｉ≦ＩｎＭＡＸｉの範囲においてｙｉ＝Ｇｉ（ｘｉ）＝Ｆｉ（ＧａｉｎＨｉ×ｘｉ）と再計算することにより、より一層、ホワイトバランス調整を行った後における表示画像の色精度を高精度にすることができ、より一層、ホワイトバランス調整の精度を向上させることができる。
【００８０】
また、補正後値ｙｉ＝Ｇｉ（ｘｉ）が右肩下がりとなる（補正前値ｘｉの増加につれて補正後値ｙｉ＝Ｇｉ（ｘｉ）の減少する）領域が存在する場合に、エラーである旨が報知されることにより、オペレータが、補正後値ｙｉ＝Ｇｉ（ｘｉ）の右肩下がりエラーが発生したことを知ることができる。これにより、オペレータが、補正後値ｙｉ＝Ｇｉ（ｘｉ）の右肩下がりエラーが発生した液晶パネル７に対して、ＬＵＴ３５Ｒ、３５Ｇ、３５Ｂの補正データを別の方法（別の計算式）によって再計算させ、補正後値ｙｉ＝Ｇｉ（ｘｉ）の右肩下がりエラーが発生しないようにすることができ、又は、補正後値ｙｉ＝Ｇｉ（ｘｉ）の右肩下がりエラーが発生した液晶パネル７を不良品として分別することができる。
【００８１】
なお、本発明は、上記実施形態の構成に限られず、種々の変形が可能である。例えば、Ｌｏｗ側調整ゲイン値ＧａｉｎＬ及びＨｉｇｈ側調整ゲイン値ＧａｉｎＨに代えて、Ｌｏｗ側調整用画像の色バランスが所定の色バランスとなるように、Ｌｏｗ側調整用入力値ＩｎＬに与えられるオフセットの値、及び、Ｈｉｇｈ側調整用画像の色バランスが所定の色バランスとなるように、Ｈｉｇｈ側調整用入力値ＩｎＨに与えられるオフセットの値に基いて、ＬＵＴの補正データを再計算するようにしてもよい。
【００８２】
この場合、ゲイン調整部に代えて、入力値にオフセットを与えるオフセット調整手段を設け、Ｌｏｗ側調整用入力値ＩｎＬ及びＨｉｇｈ側調整用入力値ＩｎＨにオフセット調整手段によりオフセットを与え、このオフセットを与えた後のＬｏｗ側調整用入力値ＩｎＬ及びＨｉｇｈ側調整用入力値ＩｎＨをＬＵＴの補正データに基いて補正して、この補正後のＬｏｗ側調整用入力値ＩｎＬ及びＨｉｇｈ側調整用入力値ＩｎＨによるＬｏｗ側調整用画像及びＨｉｇｈ側調整用画像を液晶パネルに表示する。そして、液晶パネルに表示されるＬｏｗ側調整用画像の色バランスが所定の色バランスとなるときの、オフセット調整手段によりＬｏｗ側調整用入力値ＩｎＬに与えられるオフセットの値をＬｏｗ側調整オフセット値とすると共に、液晶パネルに表示されるＨｉｇｈ側調整用画像の色バランスが所定の色バランスとなるときの、オフセット調整手段によりＨｉｇｈ側調整用入力値ＩｎＨに与えられるオフセットの値をＨｉｇｈ側調整オフセット値とし、これらＬｏｗ側調整オフセット値及びＨｉｇｈ側調整オフセット値から、Ｌｏｗ側調整ゲイン値ＧａｉｎＬ及びＨｉｇｈ側調整ゲイン値ＧａｉｎＨに相当する値を求めて、ＬＵＴの補正データを再計算すればよい。
【００８３】
また、補正後値ｙ＝Ｇ（ｘ）を、ＩｎＬ＜ｘ＜ＩｎＨの範囲とＩｎＨ≦ｘ≦ＩｎＭＡＸの範囲のいずれか一方の範囲において、上記実施形態における計算式と別の計算式によって再計算してもよい。例えば、ＩｎＬ＜ｘ＜ＩｎＨの範囲において、ｙ＝Ｇ（ｘ）＝Ｆ（ａ０×ｘ＋ｂ０）（但し、ａ０＝（ＩｎＨ’−ＩｎＬ’）／（ＩｎＨ−ＩｎＬ）、ｂ０＝ＩｎＬ’−ＩｎＬ×（ＩｎＨ’−ＩｎＬ’）／（ＩｎＨ−ＩｎＬ）、ＩｎＬ’＝ＩｎＬ×ＧａｉｎＬ、ＩｎＨ’＝ＩｎＨ×ＧａｉｎＨ）と再計算してもよい。また、例えば、ＩｎＨ≦ｘ≦ＩｎＭＡＸの範囲において、ＧａｉｎＨ＞１の場合に、ｙ＝Ｇ（ｘ）＝Ｆ（ａ１×ｘ＋ｂ１）（但し、ａ１＝（ＩｎＭＡＸ’−ＩｎＨ’）／（ＩｎＭＡＸ−ＩｎＨ）、ｂ１＝ＩｎＨ’−ＩｎＨ×（ＩｎＭＡＸ’−ＩｎＨ’）／（ＩｎＭＡＸ−ＩｎＨ）、ＩｎＨ’＝ＩｎＨ×ＧａｉｎＨ、ＩｎＭＡＸ’＝ＩｎＭＡＸ）と再計算してもよい。
【００８４】
また、２つの調整用画像に限られず、３つ以上の調整用画像によって、ＬＵＴの補正データを再計算してもよい。また、ＬＵＴの補正データを再計算したとき、ＬＵＴの補正データの再計算結果（図３に相当する画像）を液晶パネルに表示するようにしてもよい。
【００８５】
また、画像を表示するためのカラーディスプレイは、液晶パネルに限られず、プラズマディスプレイ、ＣＲＴディスプレイ、有機ＥＬディスプレイ等であってもよい。カラーディスプレイがプラズマディスプレイ、ＣＲＴディスプレイ、有機ＥＬディスプレイ等である場合にも、同様の作用、効果が得られ、ホワイトバランス調整の精度を向上させることができる。また、本発明は、液晶テレビに限られず、例えば、ＢＤプレイヤ等のＡＶ機器に接続して使用される画像表示装置や、パーソナルコンピュータに用いられる画像表示装置等、他の画像表示装置にも適用可能である。また、画像を撮影して、その撮影画像をカラーディスプレイに表示するビデオカメラタイプの画像表示装置にも適用可能である。
【符号の説明】
【００８６】
１    液晶テレビ（画像表示装置）
２    チューナ
３    外部入力部
４    調整用画像入力部
５    測定値入力部
６    画像処理部
７    液晶パネル（カラーディスプレイ）
８    音声処理部
９    スピーカ
１０    リモコン
１１    リモコン受信部
１２    マイクロコンピュータ（ＬＵＴ再計算手段、ＬＵＴ書換手段、エラー報知手段）
３１Ｒ、３１Ｇ、３１Ｂ    ゲイン調整部
３２Ｒ、３２Ｇ、３２Ｂ    入力値補正部
３３Ｒ、３３Ｇ、３３Ｂ    乗算回路
３４Ｒ、３４Ｇ、３４Ｂ    ゲイン設定部
３５Ｒ、３５Ｇ、３５Ｂ    ＬＵＴ
６０    調整用画像供給装置
７０    測定装置
８０    調整用リモコン
【図１】
0005938846.tif 000002
【図２】
0005938846.tif 000003
【図３】
0005938846.tif 000004